【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】5メートル超の距離にわたり、ホストコントローラと周辺装置との間で、データの流れを送信する方法であって、
ａ．最初の元の発信デジタル信号を、ホストコントローラからローカル伸張装置に送るステップと、
ｂ．任意選択で前記発信デジタル信号を、長距離に渡る送信に適したフォーマットを有する変換発信信号に、変換するステップと、
ｃ．前記発信デジタル信号又は前記変換発信信号の何れかを、発信信号として、信号配信システムを通じて、送信するステップと、
ｄ．前記発信信号を、リモート伸張装置において、受信するステップと、
ｅ．任意選択で前記発信信号を、前記最初の元の発信信号に、変換するステップと、
ｆ．前記最初の元の発信信号を、前記リモート伸張器から、少なくも一つの周辺装置に、引き送るステップと、
ｇ．前記リモート伸張器において、前記周辺装置から返答デジタル信号を、受信するステップと、
ｈ．任意選択で前記返答デジタル信号を、長距離に渡る送信に適したフォーマットを有する変換返答デジタル信号に、変換するステップと、
ｉ．前記返答デジタル信号又は前記変換返答デジタル信号を、返答送信信号として、前記信号配信システムを介して、送信するステップと、
ｊ．前記返答送信信号を、前記ローカル伸張器において受信するステップと、
ｋ．任意選択で前記返答送信信号を、前記元の返答デジタル信号に、変換するステップと、
から成る方法において、
前記方法が、
ｌ．最初の元の発信デジタル信号に同一の、又は同様の引き続く元の発信デジタル信号を前記ホストコントローラから受信するまで、前記返答デジタル信号を、記憶デジタル信号として、記憶するステップと、
ｍ．前記引き続く元の発信デジタル信号に応じて、前記記憶返答デジタル信号を、前記ホストコントローラに対し送るステップと、
を含むことを特徴とする方法。
【請求項２】  前記データの流れが、時間に関連するデータの流れであり、前記デジタル信号が、ＵＳＢ仕様に合致し、等時性データをあらわすことを特徴とする、請求項１に記載の方法。
【請求項３】  ＵＳＢ仕様による等時性データを送信する方法を備え、それによって等時性データが周辺装置から送信され、且つホストコントローラによって受信される方法であり、
ａ．等時性データに関する要求を、ホストコントローラからローカル伸張器へ送信するステップと、
ｂ．等時性データに関する前記要求を、前記ローカル伸張器から、信号配信システムを通じて、リモート伸張器に対し送るステップと、
ｃ．送られた前記等時性データを、少なくも一つの周辺装置に対し配信するステップと、
ｄ．要求された等時性データを、前記周辺装置から前記リモート伸張器に対し、送信するステップと、
ｅ．要求された前記等時性データを、前記リモート伸張器から前記ローカル伸張器に対し、前記信号配信システムを介して、送信するステップと、
ｆ．要求された前記等時性データを、前記ローカル伸張器において、パケットバッファ内に記憶するステップと、
ｇ．前記等時性データに関する次の要求を、前記ホストコントローラから前記ローカル伸張器に対し、送信するステップと、
ｈ．前記等時性データに関する前記次の要求を、ローカル伸張器において、受信するステップと、
I．記録等時性データを、前記ローカル伸張器から、回復するステップと、
II．前記記録等時性データを、前記ホストコントローラに対し引き送るステップと、
III．等時性データに関する前記次の要求を、前記ローカル伸張器から、前記リモート伸張器に対し、前記信号配信システムを介して、送るステップと、
IV．等時性データに関する前記次の要求及び任意の更に次の要求のため、ステップ（ｃ）から（ｈ）までを繰り返すステップと、
の各ステップを成すことを特徴とする請求項２に記載の方法。
【請求項４】  ＵＳＢ仕様による等時性データを送信する方法を備え、それによって等時性データが周辺装置から送信され、且つホストコントローラによって受信される方法であり、
ａ）ローカル伸張器において、ホストコントローラから、等時性データの元の通知を、受信するステップと、
ｂ）等時性データの前記元の通知を、前記ローカル伸張器から、リモート伸張器に対し、信号配信システムを通じて、送るステップと、
ｃ）送られた前記元の等時性データに関する通知を、リモート伸張器において、受信するステップと、
ｄ）送られた前記等時性データに関する通知を、少なくも一つの周辺装置に対し引き送るステップと、
ｅ）ローカル伸張器において、元の等時性データパケットを、ホストコントローラから、受信するステップと、
ｆ）前記元の等時性データパケットを、前記ローカル伸張器から、リモート伸張器に対し、信号配信システムを通じて、送るステップと、
ｇ）送られた前記元の等時性データパケットを、リモート伸張器において、受信するステップと、
ｈ）送られた前記元の等時性データパケットを、少なくも一つの周辺装置に対し引き送るステップと、
の各ステップを成すことを特徴とする請求項２に記載の方法。
【請求項５】  請求項３のステップ（ｂ）の後、前記方法が、
I．前記ローカル伸張器が、前記要求された等時性データを、既に所有するか否かを、判定するステップと、
II．当該要求された等時性データが存在するとき、合成データパケットを作成するステップと、
III．前記合成等時性データを、前記ホストコントローラに送るステップと、
の更なるステップから成り、
請求項３のステップ（ｃ）の後が、
I）要求された周辺装置のアドレスを、前記リモート伸張装置に記憶する次のステップを含み、さらに請求項３のステップ（ｄ）の後、
I）要求された周辺装置のアドレスを、前記リモート伸張装置に、回復するステップと、
II）前記回復したアドレスを、前記要求された等時性データに追加するステップと、
の各ステップから成ることを特徴とする請求項３に記載の方法。
【請求項６】  システムから痕跡パケットを除去すると、前記方法が、
I）新規フレームが始まった時期を判定する、ステップと、
II）各パケットバッファの特性を検査する、ステップと
III）前記検査したパケットバッファに含まれるデータパケットが、少なくも一つの完全フレーム周期だけ、記憶されたか否かを判定するステップと、
IV）前記パケットバッファに含まれるデータパケットが少なくも一つの完全フレーム周期だけ記憶されているとき、前記パケットバッファに含まれるデータパケットを棄却するステップと、
V）システム内各パケットバッファにつき、（Ｉ）から（ＩＶ）までのステップを繰り返すステップと、
の各ステップを成すことを特徴とする請求項３に記載の方法。
【請求項７】  前記データの流れが、非時間関連のデータの流れであり、
前記デジタル信号が、ＵＳＢ仕様に合致し、非同期データをあらわすこと、
を特徴とする請求項１に記載の方法。
【請求項８】  ＵＳＢ仕様にしたがう非同期データ送信のための方法を提供し、それによって非同期データが周辺装置から送信され、ホストコントローラにより受信される方法であって、
ａ）ローカル伸張器において、非同期データに関する元の要求を、ホストコントローラから、受信するステップと、
ｂ）非同期データに関する前記元の要求を、前記ローカル伸張器から、リモート伸張器に対し、信号配信システムを通じて、送るステップと、
ｃ）送られた前記元の非同期データに関する要求を、リモート伸張器において、受信するステップと、
ｄ）送られた前記非同期データに関する要求を、少なくも一つの周辺装置に送るステップと、
ｅ）ローカル伸張器において、ホストコントローラから要求された非同期データを、受信するステップと、
ｆ）要求された前記非同期データを、前記リモート伸張器から、ローカル伸張器に対し、前記信号配信システムを通じて、送るステップと、
ｇ）要求された前記非同期データを、前記ローカル伸張器においてパケットバッファ内に、記憶するステップと、
ｈ）前記ローカル伸張器において、前記ホストコントローラから、非同期データに関する引き続く要求を、受信するステップと、
I）非同期データに関する前記引き続く要求を、前記ローカル伸張器から、リモート伸張器に対し、前記信号配信システムを通じて、送るステップと、
II）送られた非同期データに関する前記引き続く要求を、少なくも一つの周辺装置に対し送るステップと、
III）前記リモート伸張器において、要求された非同期データを、前記周辺装置から、受信するステップと、
I）前記ローカル伸張器において、非同期データに関する引き続く要求を前記ホストコントローラから、ステップ（ｈ）のように、追加して受信するステップと、
I）記憶された非同期データを、前記パケットバッファから、回復するステップと、
II）前記回復した非同期データを、前記ホストコントローラに対し、引き送るステップと、
ｊ）前記ローカル伸張器において、発信受信通知信号を前記ホストコントローラから、受信するステップと、
ｋ）任意選択で前記発信受信通知信号を、長距離に渡る送信に適したフォーマットを有する変換受信通知信号に、変換するステップと、
ｌ）前記発信受信通知信号又は、前記変換受信通知信号を、受信通知送信信号として、信号配信システムを通じて、送信するステップと、
ｍ）リモート伸張器において、前記受信通知送信信号を、受信するステップと、
ｎ）任意選択で前記受信通知送信信号を、前記発信受信通知信号に、変換するステップと、
ｏ）前記リモート伸張器からの前記発信受信通知信号を、少なくも一つの周辺装置に送るステップと、
の各ステップから成ることを特徴とする請求項７に記載の方法。
【請求項９】  請求項８のステップ（ｂ）の後に更に、
I）前記ローカル伸張器が、前記要求された非同期データを既に所有するか否かを、判定するステップと、
II）当該要求された同期データが存在しないとき、否定的受信通知パケットを作成するステップと、
III）前記否定的受信通知パケットを、前記ホストコントローラに送るステップと、
の各ステップから成り、
請求項８のステップ（ｅ）の後に、
I）前記リモート伸張器において、受信通知パケットを作成するステップと、
II）前記受信通知パケットを、前記周辺装置に対し引き送るステップと、
の各ステップを追加して含むことを特徴とする請求項８に記載の方法。
【請求項１０】  ＵＳＢ仕様にしたがう非同期データ送信のための方法を備え、それによって非同期データがホストコントローラから送信され、周辺装置により受信される方法であって、
ａ）ローカル伸張器において、ホストコントローラから非同期データ元の通知を、受信するステップと、
ｂ）非同期データの前記元の通知を、前記ローカル伸張器から、リモート伸張器に対し、信号配信システムを通じて、送るステップと、
ｃ）送られた前記元の非同期データに関する通知を、リモート伸張器において、受信するステップと、
ｄ）送られた前記非同期データに関する通知を、少なくも一つの周辺装置に対し引き送るステップと、
ｅ）ローカル伸張器において、元の非同期データパケットを、ホストコントローラから、受信するステップと、
ｆ）前記元の非同期データパケットを、前記ローカル伸張器から、リモート伸張器に対し、信号配信システムを通じて、送るステップと、
ｇ）送られた前記元の非同期データパケットを、リモート伸張器において、受信するステップと、
ｈ）送られた前記元の非同期データパケットを、少なくも一つの周辺装置に対し引き送るステップと、
ｉ）前記リモート伸張器において、到着肯定応答パケットを、前記周辺装置から、受信するステップと、
ｊ）前記到着肯定応答パケットを、前記リモート伸張器から、前記ローカル伸張器に対し、前記信号配信システムを通じて、送るステップと、
ｋ）前記ローカル伸張器のパケットバッファ内に、前記到着肯定応答を、記憶するステップと、
ｌ）前記ローカル伸張器において、前記ホストコントローラから、非同期データに関する引き続く通知を、受信するステップと、
ｍ）前記ローカル伸張器において、前記ホストコントローラから、非同期データパケットを、受信するステップと、
I）記憶された前記受信通知パケットを、前記パケットバッファから、回復するステップと、
II）回復した前記受信通知パケットを、前記ホストコントローラに対し、引き送るステップと、
の各ステップから成ることを特徴とする請求項７に記載の方法。
【請求項１１】  請求項１０のステップ（ｃ）の後、更に、
I）受信通知パケットを、前記ローカル伸張器において、作成するステップと、
II）前記受信通知パケットを、前記ホストコントローラに、引き送るステップと、
の各ステップから成り、
請求項１０のステップ（ｃ）の後に、
I）前記ローカル伸張器が、前記到着肯定応答パケットを既に所有するか否かを、判定するステップと、
II）当該到着肯定応答パケットが存在しないとき、否定的受信通知パケットを作成するステップと、
III）前記否定的受信通知パケットを、前記ホストコントローラに対し引き送るステップと、
の各ステップを含むこと特徴とする請求項１０に記載の方法。
【請求項１２】  データパケットが、リモート伸張器からＵＳＢ装置に送信された後に、ガード時間を課し、そのガード時間が、送信された前記データパケットの型に依存する値に設定される方法であって、
ａ）リモート伸張器において、発信データパケットを、受信するステップと、
ｂ）リモート伸張器において、前記発信データパケットの転送型を、判定するステップと、
ｃ）前記発信データパケットを、前記リモート伸張器から、ＵＳＢ装置に対し、送るステップと、
ｄ）送信ガードタイマーの値を、判定した前記転送型に依存する値に、設定するステップと、
ｅ）前記ガードタイマーが期限切れになるまで、追加の発信を禁止するステップと、
の各ステップから成ることを特徴とする請求項８または１０に記載の方法。
【請求項１３】  前記長距離が、30メートルを超えることを特徴とする請求項１に記載の方法。
【請求項１４】  前記長距離が、100メートルに等しいか又は超えることを特徴とする請求項１３に記載の方法。
【請求項１５】  前記信号配信システムが、不遮蔽ツイストペアケーブル（ＵＴＰ）配線、光ファイバーケーブル利用するか、または無線送信を利用すること、を特徴とする請求項１に記載の方法。
【請求項１６】  デジタル信号を5メートル超の距離にわたり送信するための装置であって、
ホストコントローラが接続されており、データ信号に関する要求を、そのホストコントローラから受けるための手段を含む、ローカル伸張器と、
発信信号を発生するための、前記ローカル伸張器内の手段と、
前記発信信号を、信号配信システムを介して、リモート伸張器に対し送るための、前記ローカル伸張器内の手段と、
前記発信信号を受信するための手段を含む、リモート伸張器と、
前記発信信号からデジタル信号を作るための、前記リモート伸張器内の手段と、
前記デジタル信号を、前記リモート伸張器に接続された少なくも一つの周辺装置に対し送るための、前記リモート伸張器内の手段と、
到着デジタル信号を、前記周辺装置から受信するための、前記リモート伸張器内の手段と、
前記到着デジタル信号を、到着送信信号に変換するための、前記リモート伸張器内の手段と、
到着送信信号を、前記信号配信システムを通じて、前記ローカル伸張器に対し送信するための、前記リモート伸張器内の手段と、
前記到着送信信号を受信するための、前記ローカル伸張器内の手段と、
を備えた装置において、
前記装置が、
蓄積到着信号として前記到着信号蓄積するための、前記ローカル伸張器内の手段と、
前記時間関連デジタル信号を送信するための次の要求を確認するために、前記ホストコントローラからの前記デジタル信号を分析するための、前記ローカル伸張器内の手段と、
前記到着送信から、デジタル信号を発生するための、前記ローカル伸張器内の手段と、
次の要求に関連して、前記デジタル信号を前記ホストコントローラに対し送るための、前記ローカル伸張器内の手段と、    
を備えること、
を特徴とする装置。
【請求項１７】  前記データ信号が、ＵＳＢ仕様に合致した時間関連のデータ信号であり、；前記時間関連信号が等時性データをあらわすこと、
を特徴とする請求項１６に記載の装置。
【請求項１８】  前記データ信号が、ＵＳＢ仕様に合致する時間関連のデータ信号であって、非同期データをあらわすことを特徴とする請求項１６に記載の装置。
【請求項１９】  長距離に渡ってデジタル信号を送信する装置であって、
ａ）ホストコントローラが接続されていて、時間の関連データ信号に関する要求を、そのホストコントローラから受けるための手段を具備したローカル伸張器と、
ｂ）前記ローカル伸張器内の、発信信号を発生するための手段と、
ｃ）前記ローカル伸張器内の、前記発信信号を、信号配信システムを通じて、リモート伸張器に対し送るための手段と、
ｄ）前記発信信号を受信するための手段を具備した、リモート伸張器と、
ｅ）前記リモート伸張器内の、前記発信信号からデジタル信号を発生するための手段と、
ｆ）前記リモート伸張器内の、前記デジタル信号を、前記リモート伸張器に接続された少なくも一つの周辺装置に送るための手段と、
ｇ）前記リモート伸張器内の、到着デジタル信号を、前記周辺装置から受信するための手段と、
ｈ）前記リモート伸張器内の、前記到着デジタル信号を、到着送信信号に変換するための手段と、
ｉ）前記リモート伸張器内の、到着送信信号を、前記信号配信システムを通じて、前記ローカル伸張器に送信するための手段と、
ｊ）前記ローカル伸張器内の、前記到着送信信号を受信するための手段と、
ｋ）蓄積到着信号として前記到着信号蓄積するための、前記ローカル伸張器内の手段と、
ｌ）前記時間関連デジタル信号を送信するための次の要求を確認するために、前記ホストコントローラからの前記デジタル信号を分析するための、前記ローカル伸張器内の手段と、
ｍ）前記ローカル伸張器内の、前記到着送信から、デジタル信号を発生するための手段と、
ｎ）前記次の要求に関連して、前記デジタル信号を、前記ホストコントローラに送るための前記リモート伸張器内の手段と、 
を備えることを特徴とする請求項１８に記載の装置。
【請求項２０】  前記長距離が、30メートルを超えることを特徴とする請求項１６に記載の方法。
【請求項２１】  前記信号配信システムが、不遮蔽ツイストペアケーブル（ＵＴＰ）配線、光ファイバーケーブルを利用するか、または無線送信を利用することを特徴とする請求項１６に記載の方法。